(57)【要約】【課題】ガスコンロの状態に応じて、火力を瞬間的に変化させたり、緩やかに変化させることができるガスコンロを提供する。【解決手段】コンロのガス供給機構５０は、右バーナ４に供給するガス流量を調節する。コンロは、光センサと鍋センサを備える。光センサは、コンロに対して異物の侵入を検出する。鍋センサは、五徳上の調理鍋を検出する。コンロは、光センサと鍋センサの夫々の検出結果に基づき、コンロの状態を検出する。ガス供給機構５０は、ガス調節機構５３，５６を備える。ガス調節機構５６は、ガス流量を瞬間的に変化させる。ガス調節機構５６は、ガス流量をガス調節機構５６よりも緩やかに変化させる。コンロは、光センサ及び鍋センサの検出結果に基づき、ガス調節機構５３，５６を制御する。それ故、コンロは状態に応じて、火力を瞬間的に変化させたり、緩やかに変化させることができる。【選択図】図２
2020016415.tif 000002
【特許請求の範囲】
【請求項１】
バーナと、前記バーナに供給するガス流量を調節するガス調節機構と、前記ガス調節機構の動作を制御する制御部とを備えたガスコンロであって、
前記ガスコンロの状態を検出する検出部を備え、
前記ガス調節機構は、
前記ガス流量を瞬間的に変化させる第一ガス調節機構と、
前記ガス流量を前記第一ガス調節機構よりも緩やかに変化させる第二ガス調節機構と
を備え、
前記制御部は、前記検出部の検出結果に基づき、前記第一ガス調節機構、及び前記第二ガス調節機構を制御することを特徴とするガスコンロ。
【請求項２】
前記検出部は、
送信部と受信部を有し、前記送信部から送信される検出波を前記受信部で受信することによって、前記バーナから所定範囲内における異物の有無を検出するセンサを備え、
前記制御部は、
前記センサによって異物が検出された場合、前記第一ガス調節機構の動作を制御し、前記ガス流量を最少流量に瞬間的に低減させ、
前記センサによって異物が検出されない場合、前記第二ガス調節機構の動作を制御し、前記ガス流量を緩やかに変化させること
を特徴とする請求項１に記載のガスコンロ。
【請求項３】
前記検出部は、
五徳上において調理鍋の有無を検出する鍋センサを更に備え、
前記制御部は、
前記センサによって前記異物が検出された場合、若しくは前記鍋センサによって前記調理鍋が検出されない場合に、前記第一ガス調節機構の動作を制御することによって、前記ガス流量を前記最少流量に瞬間的に低減させ、
前記センサによって前記異物が検出されず、且つ前記鍋センサによって前記調理鍋が検出された場合に、前記第二ガス調節機構の動作を制御することによって、前記ガス流量を緩やかに変化させること
を特徴とする請求項２に記載のガスコンロ。
【請求項４】
前記検出部は、
五徳上において調理鍋の有無を検出する鍋センサを備え、
前記制御部は、
前記鍋センサによって前記調理鍋が検出されない場合に、前記第一ガス調節機構の動作を制御することによって、前記ガス流量を最少流量に瞬間的に低減させ、
前記鍋センサによって前記調理鍋が検出された場合に、前記第二ガス調節機構の動作を制御することによって、前記ガス流量を緩やかに変化させること
を特徴とする請求項１に記載のガスコンロ。
【請求項５】
前記制御部によって、前記第一ガス調節機構の動作が制御され、前記ガス流量が前記最少流量に瞬間的に低減された後、若しくは低減されたと同時に、前記第二ガス調節機構においても前記ガス流量を前記最少流量に低減する低減制御部と、
前記低減制御部によって前記ガス流量が前記最少流量に低減された後に、前記鍋センサによって前記調理鍋が検出され、且つ前記センサによって前記異物が検出されなかった場合に、前記第一ガス調節機構において前記ガス流量を瞬間的に元のガス流量に戻すと同時に、前記第二ガス調節機構においても前記ガス流量を緩やかに前記元のガス流量に戻す復帰制御部と
を備えたこと
を特徴とする請求項３に記載のガスコンロ。
【請求項６】
前記第一ガス調節機構は、
前記バーナに供給するガスが流れるガス供給管と、
前記ガス供給管に設けられた分岐部と、
前記分岐部から分岐し、前記ガスの一部が分流されるバイパス管と、
前記ガス供給管の前記分岐部よりも前記ガスが流れる方向の下流側に設けられ、前記バイパス管の下流側端部と接続し、前記ガスが合流する合流部と、
前記ガス供給管の前記分岐部と前記合流部の間に設けられ、前記ガス流量を最少流量に制限する制限部と、
前記バイパス管に設けられ、当該バイパス管の流路を開閉する電磁弁と
を備えたこと
を特徴とする請求項１から５の何れかに記載のガスコンロ。
【請求項７】
前記第二ガス調節機構は、
前記バーナに供給するガスが流れるガス流路内を移動することにより、前記ガス流路の流路面積を増減するニードル弁と、
前記ニードル弁の移動を制御するモータと
を備えたこと
を特徴とする請求項１から６の何れかに記載のガスコンロ。
【発明の詳細な説明】
【技術分野】
【０００１】
本発明は、ガスコンロに関する。
【背景技術】
【０００２】
従来、五徳上において調理鍋の有無を検出する鍋センサを備え、当該鍋センサが調理鍋を検出しない場合には、安全面から自動で火力を小さくできるコンロが知られている（例えば、特許文献１参照）。このコンロには、ガス量を調節してバーナの火力を制御できるガス調節機構が設けられる。このガス調節機構は、ガス供給管、分岐配管、電磁弁を備える。分岐配管の一端部は、ガス供給管の分岐部に接続され、分岐配管の他端部は、ガス供給管の合流部に接続される。電磁弁は、ガス供給管の分岐部と合流部の間に設けられる。電磁弁は、ガス流量調整用キープソレノイドバルブである。このようなガス調節機構では、電磁弁を開閉することによって、バーナに流れるガス流量を強火力と弱火力の２段階で瞬間的に調節できる。
【０００３】
また、ニードル弁の開度位置をモータで移動することによって、バーナに流れるガス流量を連続的に調節できるガス調節機構も知られている（例えば、特許文献２参照）。このようなガス調節機構を用いることによって、前者のガス調節機構に比べ、バーナの火力を緩やかに変化させることができる。
【先行技術文献】
【特許文献】
【０００４】
【特許文献１】特開２０１３−２３４８０７号公報
【特許文献２】特開２０１５−３６５９３号公報
【発明の概要】
【発明が解決しようとする課題】
【０００５】
特許文献１に記載のコンロにおいて、火力を自動で小さくした後に、鍋センサが調理鍋を検出した場合、火力を瞬間的に切り替えるので、調理鍋を検出して、火力を元の火力に戻すときに、急激に火が大きくなるという問題点があった。そこで、特許文献２に記載のガス調節機構を適用した場合、火力を緩やかに切り替えることから、鍋センサが調理鍋を検出しない場合に、火力を自動で小さくするときに時間がかかってしまうという問題点があった。
【０００６】
本発明の目的は、ガスコンロの状態に応じて、火力を瞬間的に変化させたり、緩やかに変化させることができるガスコンロを提供することである。
【課題を解決するための手段】
【０００７】
請求項１のガスコンロは、バーナと、前記バーナに供給するガス流量を調節するガス調節機構と、前記ガス調節機構の動作を制御する制御部とを備えたガスコンロであって、前記ガスコンロの状態を検出する検出部を備え、前記ガス調節機構は、前記ガス流量を瞬間的に変化させる第一ガス調節機構と、前記ガス流量を前記第一ガス調節機構よりも緩やかに変化させる第二ガス調節機構とを備え、前記制御部は、前記検出部の検出結果に基づき、前記第一ガス調節機構、及び前記第二ガス調節機構を制御することを特徴とする。
【０００８】
請求項２のガスコンロの前記検出部は、送信部と受信部を有し、前記送信部から送信される検出波を前記受信部で受信することによって、前記バーナから所定範囲内における異物の有無を検出するセンサを備え、前記制御部は、前記センサによって異物が検出された場合、前記第一ガス調節機構の動作を制御し、前記ガス流量を最少流量に瞬間的に低減させ、前記センサによって異物が検出されない場合、前記第二ガス調節機構の動作を制御し、前記ガス流量を緩やかに変化させるとよい。
【０００９】
請求項３のガスコンロの前記検出部は、前記検出部は、五徳上において調理鍋の有無を検出する鍋センサを更に備え、前記制御部は、前記センサによって前記異物が検出された場合、若しくは前記鍋センサによって前記調理鍋が検出されない場合に、前記第一ガス調節機構の動作を制御することによって、前記ガス流量を前記最少流量に瞬間的に低減させ、前記センサによって前記異物が検出されず、且つ前記鍋センサによって前記調理鍋が検出された場合に、前記第二ガス調節機構の動作を制御することによって、前記ガス流量を緩やかに変化させるとよい。なお、「調理鍋」とは、加熱調理を行う為の調理器具を意味し、鍋、フライパン等の種々の調理器具を含む概念である。
【００１０】
請求項４のガスコンロの前記検出部は、五徳上において調理鍋の有無を検出する鍋センサを備え、前記制御部は、前記鍋センサによって前記調理鍋が検出されない場合に、前記第一ガス調節機構の動作を制御することによって、前記ガス流量を最少流量に瞬間的に低減させ、前記鍋センサによって前記調理鍋が検出された場合に、前記第二ガス調節機構の動作を制御することによって、前記ガス流量を緩やかに変化させるとよい。なお、「最少流量」とは、ガス流量の調整可能範囲において予め設定される最少の流量を意味する。
【００１１】
請求項５のガスコンロは、前記制御部によって、前記第一ガス調節機構の動作が制御され、前記ガス流量が前記最少流量に瞬間的に低減された後、若しくは低減されたと同時に、前記第二ガス調節機構においても前記ガス流量を前記最少流量に低減する低減制御部と、前記低減制御部によって前記ガス流量が前記最少流量に低減された後に、前記鍋センサによって前記調理鍋が検出され、且つ前記センサによって前記異物が検出されなかった場合に、前記第一ガス調節機構において前記ガス流量を瞬間的に元のガス流量に戻すと同時に、前記第二ガス調節機構においても前記ガス流量を緩やかに前記元のガス流量に戻す復帰制御部とを備えるとよい。
【００１２】
請求項６のガスコンロの前記第一ガス調節機構は、前記バーナに供給するガスが流れるガス供給管と、前記ガス供給管に設けられた分岐部と、前記分岐部から分岐し、前記ガスの一部が分流されるバイパス管と、前記ガス供給管の前記分岐部よりも前記ガスが流れる方向の下流側に設けられ、前記バイパス管の下流側端部と接続し、前記ガスが合流する合流部と、前記ガス供給管の前記分岐部と前記合流部の間に設けられ、前記ガス流量を最少流量に制限する制限部と、前記バイパス管に設けられ、当該バイパス管の流路を開閉する電磁弁とを備えるとよい。
【００１３】
請求項７のガスコンロの前記第二ガス調節機構は、前記バーナに供給するガスが流れるガス流路内を移動することにより、前記ガス流路の流路面積を増減するニードル弁と、前記ニードル弁の移動を制御するモータとを備えるとよい。
【発明の効果】
【００１４】
請求項１のガスコンロによれば、検出部が検出したガスコンロの状態に応じて、火力を瞬間的に変化させたり、緩やかに変化させることができる。
【００１５】
請求項２のガスコンロによれば、バーナから所定範囲内において、例えば使用者の袖が異物として検出された場合は危険であるので、第一ガス調節機構を用いることで、バーナの火力を瞬間的に弱めることができる。一方、バーナから所定範囲内において、異物が検出されなければ安全であるので、第二ガス調節機構を用いることで、バーナの火力を緩やかに変化させることができる。よって、例えば、バーナを弱火力から強火力に戻す場合、火力は緩やかに大きくなるので、安全である。このように、ガスコンロにおいては、バーナから所定範囲内における異物の有無に応じて、ガス流量を瞬間的に変化させるか、緩やかに変化させるかを自動で制御するので、安全性を向上できる。
【００１６】
請求項３のガスコンロによれば、センサによって異物が検出された場合、若しくは鍋センサによって調理鍋が検出されない場合、第一ガス調節機構を用いることで、バーナの火力を瞬間的に弱めることができる。一方、バーナから所定範囲内において異物が検出されず、且つ五徳上に調理鍋が載置されている場合は安全であるので、第二ガス調節機構を用いることで、バーナの火力を緩やかに変化させることができる。これにより、調理鍋を用いた調理中においては、バーナの火力を緩やかに変化させることができるので、更に安全性を向上できる。このように、ガス流量を瞬間的に変化させるか、緩やかに変化させるかについて、バーナの所定範囲内における異物の有無に加え、五徳上における調理鍋の有無を判断に加えることで、より安全性の高いガスコンロを提供できる。
【００１７】
請求項４のガスコンロによれば、五徳上に調理鍋が載置されていない状態で、仮に強火力でバーナが燃焼していると危険であるので、第一ガス調節機構を用いることで、バーナ火力を速やかに弱めることができるので、安全性を向上できる。一方、五徳上に鍋が載置されている場合は、第二ガス調節機構を用いることで、バーナ火力を緩やかに変化させることができるので、更に安全性を向上できる。
【００１８】
請求項５のガスコンロによれば、第一ガス調節機構の動作を制御することによって、ガス流量が最少流量に瞬間的に低減された後に、第二ガス調節機構においてもガス流量を最少流量に低減する。その後、鍋センサによって調理鍋が検出され、且つセンサによって異物が検出されなかった場合、ガスコンロは安全な状態となったので、第一ガス調節機構においてガス流量を瞬間的に元のガス流量に戻すと同時に、第二ガス調節機構においてもガス流量を緩やかに元のガス流量に戻す。このとき、バーナに供給されるガス流量は、第二ガス調節機構によって調節されるガス流量の変化に制限されるので、バーナ火力は緩やかに元の火力に戻される。よって、ガスコンロは安全性を更に向上できる。
【００１９】
請求項６のガスコンロによれば、第一ガス調節機構は、バイパス管の電磁弁を閉じることにより、ガス供給管に流れるガス流量を最少流量に瞬間的に低減できるので、バーナ火力を瞬間的に弱めることができる。
【００２０】
請求項７のガスコンロによれば、第二ガス調節機構は、モータを駆動し、ニードル弁を移動させることによって、ガス流路に流れるガス流量を緩やかに変化できるので、バーナ火力を緩やかに変化させることができる。
【図面の簡単な説明】
【００２１】
【図１】コンロ１の斜視図である。
【図２】ガス供給機構５０の構成を示す図である。
【図３】コンロ１の電気的構成を示すブロック図である。
【図４】火力制御処理のフローチャートである。
【図５】火力制御処理のタイミングチャートである。
【図６】火力制御処理（第一変形例）のフローチャートである。
【図７】火力制御処理（第二変形例）のフローチャートである。
【発明を実施するための形態】
【００２２】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
図１〜図３を参照し、コンロ１の構造を説明する。図１に示すように、コンロ１は、ビルトインコンロである。コンロ１は筐体２と天板３を備える。天板３の右側には右バーナ４、左側には左バーナ５が設けられる。右バーナ４の周囲には、五徳１４が設けられ、左バーナ５の周囲には、五徳１５が設置される。右バーナ４の上部中央、及び左バーナ５の上部中央には、略逆有底円筒状のセンサ組立２０が上下方向に出退可能に夫々設けられ、図示外のバネで常時上方に付勢される。センサ組立２０は、五徳１４，１５上に載置される調理鍋（図示略）の鍋底に当接して下方に押し下げられる。
【００２４】
センサ組立２０には、鍋センサ２１とサーミスタ２２（図３参照）が設けられる。鍋センサ２１は、五徳１４，１５上に調理鍋が載置されたことを検出し、例えば、五徳１４，１５上に調理鍋が載置されていない状態ではオフ、五徳１４，１５上に調理鍋が載置され、センサ組立２０が鍋底に押し下げられた状態ではオンする。サーミスタ２２は、センサ組立２０の上端部に接触する調理鍋（図示略）の鍋底温度を検出する。右バーナ４及び左バーナ５の夫々の近傍には、失火を検出する為の熱電対２３（図２，図３参照）、点火する為のイグナイタ２４（図２，図３参照）が設けられる。天板３の後方部には、コンロ１内に設置されたグリル庫（図示略）の排気口７が設けられる。
【００２５】
天板３の後方部を除く部分は、ガラス板で形成される。天板３の上面において、右バーナ４及び左バーナ５の夫々の前側と左右両側を平面視略円弧状に取り囲むようにして、複数の窓部が設けられる。また、天板３の前側部の左右方向中央部にも、一つの窓部が設けられる。各窓部は矩形状に形成された透明な領域であり、上方から見た場合に天板３下方を透過する。各窓部の下方には、光センサ４０が夫々配置される。光センサ４０は、送信部から送信した検出波が異物で反射した反射波を受信部で受信し、三角測距方式を応用して異物までの距離を測定する一般的な測距センサである。光センサ４０は、対応する窓部の上方に異物（例えば、使用者の身体の一部等）が侵入した場合、その異物で反射した反射波を、窓部を介して受信部で受信し、異物までの距離を測定する。光センサ４０は、測定した異物までの距離を距離信号として、後述する光センサ入力回路８６(図３参照）に向けて出力する。後述する制御回路７０のＣＰＵ７１は受信した距離信号に基づき、異物の有無を判定する。
【００２６】
コンロ１の前面の中央には、グリル扉８が設けられる。グリル扉８は手前側に移動可能に支持され、コンロ１内部に設けられるグリル庫（図示略）の前側の開口部を開閉する。グリル庫内には、グリルバーナ（図示略）が設けられる。グリルバーナの近傍にも、熱電対とイグナイタ（図示略）が設けられる。グリル扉８の右側の領域には、右側から左側に向かって順に、正面視円形状の操作ボタン１１，１２が横一列に並んで設けられる。操作ボタン１１の右上には、電源ボタン２５が設けられる。グリル扉８の左側の領域には、操作ボタン１１，１２と同一高さ位置に、同一円形状の操作ボタン１３が設けられる。
【００２７】
操作ボタン１１は右バーナ４、操作ボタン１２はグリルバーナ、操作ボタン１３は左バーナ５を、点火及び消火する為に押し込まれる。操作ボタン１１〜１３は、対応するバーナの消火時、コンロ１の前面とほぼ面一の状態である（図１参照）。点火の為に押し込まれると、後述するＣＰＵ７１によって、対応するバーナへの点火処理が実行され、公知のプッシュ・プッシュ機構（図示略）によって、操作ボタン１１〜１３は、コンロ１前面から前方に向けて略円柱状に突出し、該突出した状態で回動操作が可能となる。操作ボタン１１〜１３には回転センサ１９（図３参照）が夫々設けられる。回転センサ１９は、対応する操作ボタン１１〜１３の回転方向と回転角度を検出し、該検出信号を制御回路７０に入力する。操作ボタン１１〜１３を回動操作すると、制御回路７０は、回動操作量に応じたガス量になるように、対応するバーナへのガス供給量を調節する。
【００２８】
コンロ１の内部には、三つのガス供給機構が設けられる。三つのガス供給機構は、対応する右バーナ４、左バーナ５、及びグリルバーナへのガス供給量を調節する。
【００２９】
図２を参照し、右バーナ４のガス供給機構５０の構成を説明する。なお、左バーナ５及びグリルバーナのガス供給機構は、右バーナ４のガス供給機構５０と同様の構成であるので、説明を省略する。ガス供給機構５０は、ガスが流れる方向の上流側から順に、ガス供給管５１、バルブ機構部５２、ガス調節機構５３、制御モータ５４、ガス供給管５５、ガス調節機構５６等を備える。ガス供給管５１は、コンロ１の外部から供給されるガスを受け入れる。ガス供給管５１の上流側の一端部には、元ガス電磁弁５１１が設けられる。バルブ機構部５２は、ガス供給管５１の下流側の一端部に接続される。バルブ機構部５２は内部にガス流路を備え、該ガス流路において、ガスが流れる方向の上流側から順に、セーフティバルブ５２１とメインバルブ５２２を備える。
【００３０】
ガス調節機構５３は、バルブ機構部５２の下流側に接続され、ガス流路５３１とニードル弁５３２を備える。ガス流路５３１は、バルブ機構部５２のガス流路に接続される。ニードル弁５３２は、ガス流路５３１の出口付近に移動可能に設けられ、弁の開度が連続的に調節されることで、ガス流路５３１を流れるガス量を連続的に調節可能である。制御モータ５４は、セーフティバルブ５２１、メインバルブ５２２、ニードル弁５３２の駆動源であり、制御回路７０のＣＰＵ７１によって制御される。制御モータ５４の出力軸には、角度検出センサ５４１と、原点用マイクロスイッチ５４２が設けられる。角度検出センサ５４１は、制御モータ５４の出力軸の回転角度を検出する。原点用マイクロスイッチ５４２は、制御モータ５４の原点検出用のマイクロスイッチである。
【００３１】
ガス供給管５５は、ガス流路５３１の出口に接続され、右バーナ４に向けて延設される。ガス供給管５５の下流側の一端部には、ノズル５５１が設けられる。ノズル５５１は、右バーナ４のバーナ本体４００に設けられたガス流入部４０１に対向配置される。
【００３２】
ガス調節機構５６は、ガス供給管５５の途中に設けられ、バイパス管５６１、電磁弁５６２、弱用バイパスニードル５６３等を備える。バイパス管５６１の一端部は、ガス供給管５５の途中に設けられた分岐部６１に接続され、他端部は、分岐部６１の下流側に設けられた合流部６２に接続される。これにより、ガス供給管５５を流れるガスの一部は、分岐部６１からバイパス管５６１に流れ、合流部６２においてガス供給管５５を流れるガスと合流する。電磁弁５６２は、バイパス管５６１に設けられる。弱用バイパスニードル５６３は、ガス供給管５５の分岐部６１と合流部６２の間に設けられ、ガス供給管５５の流路面積を狭めることによって、ガス流量を最少流量に調節する。なお、「最少流量」とは、ガス流量の調整可能範囲において予め設定される最少の流量を意味し、例えば、右バーナ４が失火しない程度に最弱な安全火力（例えば、とろ火）となるように最少流量を設定するとよい。
【００３３】
ガス供給機構５０の動作を説明する。操作ボタン１１が筐体２の前面と面一になる初期位置にあるとき、セーフティバルブ５２１、メインバルブ５２２は、機械的に閉じられた状態である。一方、ニードル弁５３２と電磁弁５６２は、開放側に維持された状態である。使用者が初期位置にある操作ボタン１１を後方に押し込むと、元ガス電磁弁５１１が開き、制御モータ５４に通電される。制御モータ５４が駆動することにより、セーフティバルブ５２１とメインバルブ５２２が押し込まれ、ガス流路が開放される。ガスは、バルブ機構部５２のガス流路からガス調節機構５３のガス流路５３１を流れ、ガス供給管５５に流れる。ガスは、ガス供給管５５のノズル５５１から噴出する。噴出されたガスは、周囲の空気を巻き込みながら、ガス流入部４０１からバーナ本体４００内に流入し、空気と混合される。空気と混合された混合ガスは、右バーナ４の炎孔部に供給される。制御モータ５４の駆動と同時にイグナイタ２４が作動し、炎孔部から噴出されるガスに点火される。そして、操作ボタン１１から手を離すと、図示外のプッシュ・プッシュ機構によって、操作ボタン１１は手前方向に押し出され、筐体２の前面から手前側に突出する位置で保持される。このようにして、右バーナ４は燃焼状態になる。
【００３４】
使用者によって操作される操作ボタン１１の回転方向と回転角度に応じて、コンロ１は、制御モータ５４を正逆方向に回転する。制御モータ５４の回転軸の動力は、ギア機構５４３によって、ニードル弁５３２の開度を調節する動力に変換される。なお、ギア機構４３は、ギアやカム等を備える動力伝達機構であって、例えば、特開２０１５−３６５９３号公報に記載の機構を適用するとよい。ガス調節機構５３は、制御モータ５４を制御し、ニードル弁５３２の開度を連続的に調節することによって、右バーナ４の火力を連続的且つ緩やかに調節可能である。
【００３５】
なお、ガス調節機構５３におけるニードル弁５３２の開度が操作ボタン１１の操作によって調節された調節開度であって、ガス調節機構５６の電磁弁５６２が開状態であるとき、ガス調節機構５３，５６で統合して調節されるガス流量に対応するバーナ火力は、操作ボタン１１の操作によって設定される設定火力である（図５参照）。
【００３６】
ここで、異物検出時と鍋非検出時におけるガス供給機構５０の動作を説明する。本実施形態では、複数の光センサ４０を用いて、燃焼状態のバーナの近傍において異物（例えば、使用者の身体の一部）の侵入を検出した場合、燃焼状態のバーナの火力を瞬間的に弱める制御を行う。これに加え、センサ組立２０の鍋センサ２１を用いて、燃焼状態のバーナにおいて対応する五徳１４，１５上に調理鍋を検出しない場合も、燃焼状態のバーナの火力を瞬間的に弱める制御を行う。
【００３７】
例えば、燃焼状態の右バーナ４の火力を瞬間的に弱める為に、コンロ１は、ガス調節機構５６の電磁弁５６２を閉じる。これにより、バイパス管５６１が瞬間的に遮断されるので、ガス供給管５５から右バーナ４に向けて流れるガス流量は、弱用バイパスニードル５６３によって、最少流量に調節される。よって、燃焼状態の右バーナ４の火力は瞬間的に弱火力に調節される。
【００３８】
そして、使用者は、燃焼状態の右バーナ４を消火させる為、手前側に突出する操作ボタン１１をコンロ１内部に押し込むと、コンロ１は、制御モータ５４を逆回転させる。これにより、バルブ機構部５２のセーフティバルブ５２１とメインバルブ５２２は逆向きに駆動され、元ガス電磁弁５１１が閉じられ、ガス流路が閉じられる。こうして、対応する右バーナ４へのガスの供給が遮断されて消火される。このとき、操作ボタン１１はプッシュ・プッシュ機構によって、筐体２の前面と面一になる初期位置に戻される。
【００３９】
図３を参照し、コンロ１の電気的構成を説明する。コンロ１は、制御回路７０を備える。制御回路７０は、ＣＰＵ７１、ＲＯＭ７２、ＲＡＭ７３、不揮発性メモリ７４等を備える。ＣＰＵ７１は、コンロ１の各種動作を統括制御する。ＲＯＭ７２は、例えば、火力制御プログラムを含む各種プログラム等を記憶する。火力制御プログラムは、後述する火力制御処理（図４参照）を実行するものである。ＲＡＭ７３は、弱火力フラグ情報を含む各種情報を一時的に記憶する。弱火力フラグ情報とは、後述する火力制御処理（図４参照）において、燃焼状態のバーナを強制的に弱火力に制御するかしないかを設定する為の弱火力フラグの情報であって、弱火力に制御する場合は１、それ以外は０に設定される。不揮発性メモリ７４は、バーナ火力情報を含む各種情報等を記憶する。バーナ火力情報とは、制御モータ５４の出力軸の回転角度とバーナ火力とを対応づけた情報である。
【００４０】
制御回路７０には、電源回路８１、サーミスタ入力回路８２、熱電対入力回路８３、イグナイタ回路８４、操作パネル２７、鍋センサ入力回路８５、光センサ入力回路８６、ブザー回路８７、モータ回路９０、電磁弁回路９１、センサ入力回路９２等が電気的に各々接続されている。使用者によって電源ボタン２５が押下されると、電源回路８１は、電源２６から供給される交流（例えば１００Ｖ）を直流（例えば５Ｖ）に降圧して整流し、各種回路に電力を供給する。故にコンロ１の電源はオンする。使用者によって電源ボタン２５が再押下されると、電源回路８１は、各種回路への電力供給を遮断する。故にコンロ１の電源はオフする。
【００４１】
サーミスタ入力回路８２は、右バーナ４、及び左バーナ５に設けられたセンサ組立２０に格納するサーミスタ２２からの検出信号を、制御回路７０に入力する。熱電対入力回路８３は、熱電対２３からの検出値（熱起電力に対応する信号）を、制御回路７０に入力する。イグナイタ回路８４は、ＣＰＵ７１からの制御信号に基づき、対応するバーナのイグナイタ２４を駆動する。操作パネル２７は、コンロ１の前面パネルの右下部分に収容され、該部分を押し込むことによって手前側に引き出される。操作パネル２７は、使用者によるタイマ設定、調理メニューに応じた火力制御の選択等の入力等を受け付け、該入力信号を制御回路７０に入力する。
【００４２】
鍋センサ入力回路８５は、鍋センサ２１からの検出信号を制御回路７０に入力する。光センサ入力回路８６は、光センサ４０からの距離信号を制御回路７０に入力する。ブザー回路８７は、ＣＰＵ７１の制御信号に基づき、圧電ブザー７７を駆動する。モータ回路９０は、ＣＰＵ７１からの制御信号に基づき、制御モータ５４の駆動を制御する。電磁弁回路９１は、ＣＰＵ７１からの制御信号に基づき、電磁弁５６２の開閉を制御する。センサ入力回路９２は、回転センサ１９、及び角度検出センサ５４１からの各検出信号を、制御回路７０に入力する。ＣＰＵ７１は、回転センサ１９からの検出信号に基づき、操作ボタン１１〜１３の回転方向と回転角度に対応するように、制御モータ５４の出力軸を回転させ、ニードル弁５３２を駆動させる。これにより、ガス流路を流れるガス量が調節され、対応するバーナ火力が緩やかに調節される。
【００４３】
ＣＰＵ７１は、角度検出センサ５４１からの検出信号に基づき、制御モータ５４の出力軸の回転角度を認識する。ＣＰＵ７１は認識した制御モータ５４の出力軸の回転角度と、バーナ火力情報とに基づき、対応するバーナ火力を特定できる。なお、コンロ１は、外部装置と無線又は有線で通信可能な通信部を備えてもよい。その場合、コンロ１は通信部を介して、外部装置から種々のプログラムやデータを受け取ることができ、例えば、制御内容を更新できる。
【００４４】
図４，図５を参照し、火力制御処理を説明する。例えば、使用者が右バーナ４で調理を行う場合、鍋等の調理容器を五徳１４上に載置し、操作ボタン１１を押し込む。すると、ガス供給機構５０の上記動作によって、右バーナ４にガスが供給され、図５に示すｔ０タイミングで、イグナイタ２４によって点火される。このときのニードル弁５３２は最大開度に維持された状態であり、電磁弁５６２も開放側に維持された状態である。よって、右バーナ４の火力は、予め設定した設定火力となる。右バーナ４の炎孔部に形成された火炎は、熱電対２３によって検出される。右バーナ４の火炎が検出されると、ＣＰＵ７１は、ＲＯＭ７２から火力制御プログラムを読出し、本処理を実行する。
【００４５】
ＣＰＵ７１は初期処理を実行する（Ｓ１）。初期処理では、ＲＡＭ７３に記憶する弱火力フラグを０に初期化する。次いで、ＣＰＵ７１は、点火されたバーナに対応する光センサ４０の電源をオンする（Ｓ２）。例えば、右バーナ４が点火された場合、ＣＰＵ７１は、右バーナ４の前方に位置する５つの光センサ４０と、天板３の前側部の左右方向中央部に位置する１つの光センサ４０の電源をオンする。
【００４６】
ＣＰＵ７１は、ｔ１タイミングで、異物検出処理を開始する（Ｓ３）。異物検出処理において、ＣＰＵ７１は、右バーナ４に対応する６つの光センサ４０から距離信号（測定電圧値）を取得する。ＣＰＵ７１は、例えば所定回数（例えば４回）、各光センサ４０から距離信号を夫々取得する。取得した所定数の距離の平均値を算出し、各光センサ４０において異物までの距離を夫々特定する。ＣＰＵ７１は、ｔ２タイミングで、各光センサ４０において特定した距離に基づき、右バーナ４から所定範囲内において、異物が有るか否か判断する（Ｓ４）。例えば、或る光センサ４０において特定した距離が所定距離よりも大きい場合、ＣＰＵ７１は、その光センサ４０の上方であって、右バーナ４から所定範囲内において異物無しと判断する。一方、特定した距離が所定距離以下の場合、ＣＰＵ７１は、その光センサ４０の上方であって、右バーナ４から所定範囲内において異物有りと判断する。なお、ｔ１〜ｔ２の間の時間Ｐ１は、異物有無の判断にかかる待ち時間である。
−異物検出時−
【００４７】
異物有りと判断した場合（Ｓ４：ＮＯ）、燃焼状態の右バーナ４の近傍に、使用者の身体の一部が侵入しているので、右バーナ４の火力を速やかに弱める必要がある。そこで、ＣＰＵ７１は、弱火力フラグが１か否か判断する（Ｓ６）。弱火力フラグはＳ１の処理で０に初期化されているので（Ｓ６：ＮＯ）、右バーナ４の火力は設定火力である。よって、ＣＰＵ７１は、ｔ２タイミングで、ガス調節機構５６の電磁弁５６２を閉じる（Ｓ７）。これにより、バイパス管５６１が瞬間的に遮断されるので、ガス供給管５５を流れるガス流量は、弱用バイパスニードル５６３によって、最少流量に瞬間的に調節される。よって、燃焼状態の右バーナ４の火力は瞬間的に弱火力（安全火力）に調節される。
【００４８】
そして、ＣＰＵ７１は、電磁弁５６２を閉じるｔ２タイミングと同時に、制御モータ５４の現在の回転角度を取得して記憶すると共に（Ｓ８）、制御モータ５４を駆動し、ニードル弁５３２を最小開度に調節する（Ｓ９）。
【００４９】
図５に示すように、ニードル弁５３２は、制御モータ５４によって調節開度から最小開度に向けて連続的に作動するので、ガス調節機構５３におけるガス流量は緩やかに変更される。しかしながら、ｔ２タイミングでは、制御モータ５４の駆動と同時に、電磁弁５６２を閉じるので、右バーナ４に供給されるガス流量は、弱用バイパスニードル５６３を通過するガス流量が律速となる。これにより、ＣＰＵ７１は、燃焼状態の右バーナ４の火力を、ニードル弁５３２によるガス流量の調節に影響されることなく、瞬間的に弱火力（安全火力）に調節できる。よって、コンロ１は、燃焼状態にある右バーナ４の近傍において異物が検出された時において、右バーナ４を瞬間的に弱火力に変更できるので、安全性を向上できる。
【００５０】
そして、ＣＰＵ７１は異物報知を行う（Ｓ１０）。ＣＰＵ７１は、例えばスピーカ（図示略）から「異物が検出されました。」という音声を出力して報知するとよい。これと併せ、又は別の方法として、例えば操作パネル２７において、表示部（図示略）に、異物を検出したことを示すメッセージ、マーク等を表示してもよく、ＬＥＤ等の発光部を点滅又は点灯させてもよい。また、スピーカからブザー音を出力してもよい。これにより、使用者は、例えば燃焼中の右バーナ４に近付いたことによって、右バーナ４が強制的に弱火力に制御されたことを認識できる。そして、ＣＰＵ７１は弱火力フラグを１に設定し（Ｓ１１）、Ｓ３に戻って処理を繰り返す。
【００５１】
そして、ＣＰＵ７１は、右バーナ４が弱火力に制御された状態で、異物検出処理を再度実行する（Ｓ３）。先の状態と変わらず、異物有りと判断した場合（Ｓ４：ＹＥＳ）、弱火力フラグは１であるので（Ｓ６：ＹＥＳ）、右バーナ４は弱火力の状態のままで、ＣＰＵ７１はＳ３に戻って処理を繰り返す。
【００５２】
−異物検出後に異物非検出時−
図５に示すように、ｔ２タイミングで、右バーナ４を強制的に弱火力に制御した後、ｔ４タイミングで異物検出処理を再度実行し、異物無しと判断した場合（Ｓ４：ＮＯ）、ＣＰＵ７１は、弱火力フラグが１か否か判断する（Ｓ５）。右バーナ４は強制的に弱火力に制御された状態であるので、弱火力フラグは１である（Ｓ５：ＹＥＳ）。そこで、ＣＰＵ７１はｔ５タイミングで、電磁弁５６２を開き（Ｓ１２）、それと同時に、ＲＡＭ７３に記憶した制御モータ５４の元の回転角度（弱火力に制御する前の回転角度）を読出し、制御モータ５４の回転角度を元の回転角度に復帰させるように、制御モータ５４を作動させる（Ｓ１３）。なお、ｔ４〜ｔ５の間の時間Ｐ２は、異物有無の判断にかかる待ち時間である。
【００５３】
ここで、ガス調節機構５６においては、電磁弁５６２を開くことによって、ガス流量は瞬間的に元に戻るが、ガス調節機構５３においては、ニードル弁５３２が、制御モータ５４によって最小開度から元の開度に向けて緩やかに作動するので、ガス調節機構５３におけるガス流量は緩やかに調節される。このとき、右バーナ４に供給されるガス流量は、ニードル弁５３２を通過するガス流量が律速となるので、右バーナ４の火力はｔ５からｔ６にかけて緩やかに元火力に復帰する。これにより、右バーナ４の火力が突如大きくなることがないので、使用者を驚かせることがなく、右バーナ４を安全に元火力に復帰させることができる。よって、ＣＰＵ７１は、強制的に弱火力に制御された右バーナ４の火力を、電磁弁５６２によるガス流量の調節に影響されることなく、緩やかに元火力（設定火力）に復帰させることができるので、安全性を向上できる。
【００５４】
−異物非検出で鍋検出時−
ＣＰＵ７１は異物検出処理の結果、異物無しと判断し（Ｓ４：ＮＯ）、さらに弱火力フラグが０の場合（Ｓ５：ＮＯ）、右バーナ４の火力は設定火力であるので、右バーナ４の五徳１４上に調理鍋が載置されているか否か判断する（Ｓ１４）。ＣＰＵ７１は右バーナ４の鍋センサ２１の出力結果に基づき、調理鍋が載置されていると判断した場合（Ｓ１４：ＹＥＳ）、弱火力フラグが１か否か判断する（Ｓ１５）。弱火力フラグが０の場合（Ｓ１５：ＮＯ）、右バーナ４の火力は設定火力であるので、ＣＰＵ７１は、右バーナ４について現在の火力で燃焼制御を実行する。
【００５５】
次いで、ＣＰＵ７１は火力変更の操作があったか否か判断する（Ｓ２４）。火力変更の操作は、燃焼状態の右バーナ４に対応する操作ボタン１１の回転操作を検出することで判断する。ＣＰＵ７１は、回転センサ１９からの検出信号に基づき、操作ボタン１１の回転操作を検出しない場合（Ｓ２４：ＮＯ）、Ｓ３に戻り、上記処理を繰り返す。一方、操作ボタン１１の回転操作を検出した場合（Ｓ２４：ＹＥＳ）、操作ボタン１１の回転方向と回転角度に対応するように、制御モータ５４の出力軸を回転させ、ニードル弁５３２を駆動させる（Ｓ２５）。これにより、ガス流路を流れるガス量が調節され、対応するバーナの火力が連続的且つ緩やかに調節される。ＣＰＵ７１はＳ３に戻り、上記処理を繰り返す。
【００５６】
−異物非検出で鍋非検出時−
ＣＰＵ７１は、右バーナ４の鍋センサ２１の出力結果に基づき、五徳１４上に調理鍋が載置されていないと判断した場合（Ｓ１４：ＮＯ）、ＣＰＵ７１は弱火力フラグが１か否か判断する（Ｓ１６）。弱火力フラグが０の場合（Ｓ１６：ＮＯ）、右バーナ４は設定火力であるので、右バーナ４の火力を速やかに弱める必要がある。そこで、ＣＰＵ７１は、異物検出時と同様に、ガス調節機構５６の電磁弁５６２を閉じる（Ｓ１７）。これにより、バイパス管５６１が瞬間的に遮断されるので、ガス供給管５５を流れるガス流量は、弱用バイパスニードル５６３によって、最少流量に調節される。よって、燃焼状態の右バーナ４の火力は瞬間的に弱火力（安全火力）に調節される。
【００５７】
そして、ＣＰＵ７１は、電磁弁５６２を閉じるのと同時に、制御モータ５４の現在の回転角度を取得して記憶すると共に（Ｓ１８）、制御モータ５４を駆動し、ニードル弁５３２を最小開度に調節する（Ｓ１９）。異物検出時と同様に、ニードル弁５３２は、制御モータ５４によって最大開度から最小開度に向けて緩やかに作動するので、ガス調節機構５３におけるガス流量は緩やかに変更される。しかしながら、制御モータ５４の駆動と同時に、電磁弁５６２を閉じるので、右バーナ４に供給されるガス流量は、弱用バイパスニードル５６３を通過するガス流量が律速となる。これにより、ＣＰＵ７１は、燃焼状態の右バーナ４の火力を、ニードル弁５３２によるガス流量の調節に影響されることなく、瞬間的に弱火力（安全火力）に調節できる。よって、コンロ１は、燃焼状態の右バーナ４の五徳１４上に調理鍋が検出されない時において、右バーナ４を瞬間的に弱火力に調節できるので、安全性を向上できる。
【００５８】
そして、ＣＰＵ７１は鍋無報知を行う（Ｓ２０）。ＣＰＵ７１は、例えばスピーカ（図示略）から「鍋が載置されていません。」という音声を出力して報知するとよい。これと併せ、又は別の方法として、例えば操作パネル２７において、表示部（図示略）に、調理鍋が載置されていないことを示すメッセージ、マーク等を表示してもよく、ＬＥＤ等の発光部を点滅又は点灯させてもよい。また、スピーカからブザー音を出力してもよい。これにより、使用者は、燃焼状態の右バーナ４の五徳１４上に調理鍋が載置されていないことによって、右バーナ４が強制的に弱火力に制御されたことを認識できる。そして、ＣＰＵ７１は弱火力フラグを１に設定し（Ｓ２１）、Ｓ３に戻って処理を繰り返す。
【００５９】
ＣＰＵ７１は、右バーナ４が弱火力に制御された状態で、異物検出処理を再度実行する（Ｓ３）。そして、先の状態と変わらず、調理鍋が載置されていないと判断した場合（Ｓ４：ＮＯ、Ｓ５：ＮＯ、Ｓ１４：ＮＯ）、弱火力フラグは１であるので（Ｓ１６：ＹＥＳ）、右バーナ４は弱火力の状態のままで、ＣＰＵ７１はＳ３に戻って処理を繰り返す。
【００６０】
−鍋非検出後に鍋検出時−
五徳１４上に調理鍋が載置されていないことによって、右バーナ４を強制的に弱火力に制御した後に、調理鍋が載置された場合（Ｓ１４：ＹＥＳ）、右バーナ４は強制的に弱火力に制御された状態であるので、弱火力フラグは１である（Ｓ５：ＹＥＳ）。そこで、ＣＰＵ７１は、電磁弁５６２を開き（Ｓ２２）、それと同時に、ＲＡＭ７３に記憶した制御モータ５４の元の回転角度（弱火力に制御する前の回転角度）を読出し、制御モータ５４の回転角度を元の回転角度に復帰させるように、制御モータ５４を作動させる（Ｓ２３）。
【００６１】
ここで、上記の異物検出後に異物非検出時と同様に、ガス調節機構５６においては、電磁弁５６２を開くことによって、ガス流量は瞬間的に元に戻るが、ガス調節機構５３においては、ニードル弁５３２が、制御モータ５４によって最小開度から元の開度に向けて緩やかに作動するので、ガス調節機構５３におけるガス流量は緩やかに調節される。このとき、右バーナ４に供給されるガス流量は、ニードル弁５３２を通過するガス流量が律速となるので、右バーナ４の火力は緩やかに元火力に復帰する。これにより、右バーナ４の火力が突如大きくなることがないので、使用者を驚かせることがなく、右バーナ４を安全に元火力に復帰させることができる。よって、ＣＰＵ７１は、強制的に弱火力に制御された右バーナ４の火力を、電磁弁５６２によるガス流量の調節に影響されることなく、緩やかに元火力（設定火力）に復帰させることができるので、安全性を向上できる。
【００６２】
なお、操作ボタン１１が再度押し込まれ、右バーナ４の消火操作があった場合、ＣＰＵ７１は本処理を強制的に終了する。
【００６３】
以上説明したように、本実施形態のコンロ１は、右バーナ４、ガス供給機構５０、制御回路７０等を備える。ガス供給機構５０は、右バーナ４に供給するガス流量を調節する。制御回路７０のＣＰＵ７１は、ガス供給機構５０の動作を制御する。コンロ１は、光センサ４０と鍋センサ２１を備える。光センサ４０は、コンロ１に対して異物の侵入を検出する。鍋センサ２１は、五徳１４上の調理鍋を検出する。コンロ１は、光センサ４０と鍋センサ２１の夫々の検出結果に基づき、コンロ１の状態を検出する。ガス供給機構５０は、ガス調節機構５３，５６を備える。ガス調節機構５６は、ガス流量を瞬間的に変化させる。ガス調節機構５６は、ガス流量をガス調節機構５６よりも緩やかに変化させる。ＣＰＵ７１は、光センサ４０及び鍋センサ２１の検出結果に基づき、ガス調節機構５３，５６を制御する。これにより、コンロ１は状態に応じて、火力を瞬間的に変化させたり、緩やかに変化させることができる。
【００６４】
本実施形態において、光センサ４０は、送信部と受信部を有し、前記送信部から送信される検出波を受信部で受信することによって、右バーナ４から所定範囲内における異物の有無を検出する。右バーナ４から所定範囲内において、例えば使用者の袖が検出された場合は危険であるので、ＣＰＵ７１は、ガス調節機構５６を用いることで、右バーナ４の火力を瞬間的に弱めることができる。一方、異物が検出されなければ安全であるので、ＣＰＵ７１は、ガス調節機構５３を用いることで、右バーナ４の火力を緩やかに変化させることができる。よって、例えば、右バーナ４を弱火力から強火力に戻す場合、火力は緩やかに大きくなるので、安全である。このように、コンロ１においては、右バーナ４から所定範囲内における異物の有無に応じて、ガス流量を瞬間的に変化させるか、緩やかに変化させるかを自動で制御するので、安全性を向上できる。
【００６５】
本実施形態において、右バーナ４から所定範囲内において異物が検出されなくても、五徳１４上に調理鍋が載置されていない場合は危険であるので、ガス調節機構５６を用いることで、右バーナ４の火力を瞬間的に弱めることができる。一方、右バーナ４から所定範囲内において異物が検出されておらず、五徳１４上に調理鍋が載置された場合は安全であるので、ガス調節機構５３を用いることで、右バーナ４の火力を緩やかに変化させることができる。これにより、調理鍋を用いた調理中においては、右バーナ４の火力を緩やかに変化させることができるので、安全性を向上できる。このように、本実施形態は、ガス流量を瞬間的に変化させるか、緩やかに変化させるかについて、燃焼状態である右バーナ４の所定範囲内における異物の有無に加え、五徳１４上における調理鍋の有無を判断に加えることで、より安全性の高いコンロ１を提供できる。
【００６６】
本実施形態において、ＣＰＵ７１は、ガス調節機構５６の動作を制御することによって、ガス流量が最少流量に瞬間的に低減されたと同時に、ガス調節機構５３においてもガス流量を最少流量に低減する。その後、光センサ４０によって異物が検出されず、且つ鍋センサ２１によって調理鍋が検出された場合、コンロ１は安全な状態となったので、ガス調節機構５６においてガス流量を瞬間的に元のガス流量に戻すと同時に、ガス調節機構５３においてもガス流量を緩やかに元のガス流量に戻す。このとき、右バーナ４に供給されるガス流量は、ガス調節機構５３によって調節されるガス流量の変化に制限されるので、右バーナ４の火力は緩やかに元の火力に戻される。よって、本実施形態は、安全性の高いコンロ１を提供できる。
【００６７】
以上説明において、ガス調節機構５６が本発明の「第一ガス調節機構」の一例であり、ガス調節機構５３が本発明の「第二ガス調節機構」の一例である。光センサ４０が本発明の「センサ」の一例である。制御回路７０のＣＰＵ７１が本発明の「制御部」の一例である。Ｓ７とＳ９の処理を実行するＣＰＵ７１が本発明の「低減制御部」の一例である。Ｓ１２とＳ１３の処理を実行するＣＰＵ７１が本発明の「復帰制御部」の一例である。制御モータ５４が本発明の「モータ」の一例である。弱用バイパスニードル５６３が本発明の「制限部」の一例である。
【００６８】
なお、本発明は上記実施形態に限定されるものではなく、種々の変更が可能である。上記実施形態のコンロ１は、コンロ１の状態を検出するセンサとして、複数の光センサ４０と鍋センサ２１を備え、該光センサ４０及び鍋センサ２１の夫々の検出結果に基づき、燃焼状態のバーナの火力を制御する（図４参照）。コンロ１のＣＰＵ７１は、例えば、以下の二つの変形例のように、光センサ４０及び鍋センサ２１のうち何れか一方の検出結果に基づき、燃焼状態のバーナの火力を制御するようにしてもよい。
【００６９】
−第一変形例−
第一変形例は、光センサ４０の検出結果に基づき、ガス調節機構５３，５６の夫々の動作を制御するものである。図６に示す第一変形例の火力制御処理は、上記実施形態の図４に示す火力制御処理のうちＳ１〜Ｓ１３、Ｓ２４、Ｓ２５の各処理を切り出したものである。各処理の内容は、上記実施形態と同じである。これにより、ＣＰＵ７１は複数の光センサ４０の検出結果に基づき、燃焼状態のバーナにおいて異物の侵入を検出した場合、瞬間的にバーナ火力を弱めることができる。そして、バーナ火力を弱めた後で、異物が検出されなかった場合、ＣＰＵ７１は、バーナ火力を元火力に緩やかに復帰させることができる。
【００７０】
−第二変形例−
第二変形例は、鍋センサ２１の検出結果に基づき、ガス調節機構５３，５６の夫々の動作を制御するものである。図７に示す第二変形例の火力制御処理は、上記実施形態の図４に示す火力制御処理のうち、Ｓ１、Ｓ１４〜Ｓ２５の各処理を切り出したものである。各処理の内容は、上記実施形態と同じである。これにより、ＣＰＵ７１は、燃焼状態のバーナに対応する鍋センサ２１の検出結果に基づき、五徳上に調理鍋を検出しない場合、瞬間的にバーナ火力を弱めることができる。そして、バーナ火力を弱めた後で、五徳上に調理鍋を検出した場合、ＣＰＵ７１は、バーナ火力を元火力に緩やかに復帰させることができる。
【００７１】
上記実施形態のコンロ１は、右バーナ４と左バーナ５を備えるが、天板３上のコンロバーナの数は一つでもよく、三つ以上であってもよい。コンロ１はビルトインコンロであるが、テーブルコンロであってもよく、ガスの供給がカセット式の小型コンロであってもよい。また、グリルを備えていないコンロであってもよい。
【００７２】
光センサ４０は、筐体２の内側、且つ天板３の下方に配置されているが、上下方向の高さが低いセンサであれば、天板３上に配置されてもよい。光センサ４０は、赤外光による反射型の測距センサを用いたが、超音波による反射型センサであってもよいし、レーダ電波で異物との距離を検出するセンサであってもよい。光センサ４０の配置は、上記実施形態に限らず、種々変更可能である。また、光センサ４０の個数は１個でもよいが、複数個であるのが好ましい。複数個にすることによって、バーナに対して広い範囲で異物を検出できる。
【００７３】
上記実施形態の火力制御処理（図４参照）のＳ７とＳ９、Ｓ１７とＳ１９において、ｔ２タイミングで電磁弁５６２を閉じるのと同時に、制御モータ５４を駆動し、ニードル弁５３２を最小開度に調節したが、弱用バイパスニードル５６３によって調節されるガス流量が律速となるので、ニードル弁５３２を最小開度に調節するタイミングは、ｔ２タイミング後であってもよい。
【００７４】
また、火力制御処理（図４参照）のＳ１２とＳ１３、Ｓ２２とＳ２３において、ｔ５タイミングで電磁弁５６２を開くのと同時に、制御モータ５４を駆動し、ニードル弁５３２を元の開度に復帰したが、ニードル弁５３２によって調節されるガス流量が律速となるので、電磁弁５６２を開くタイミングは、ｔ５〜ｔ６タイミングの間であればよい。ｔ６タイミングは、ニードル弁５３２が元の開度に復帰するタイミングである。
【符号の説明】
【００７５】
１      コンロ
４      右バーナ
１４      五徳
２１      鍋センサ
４０      光センサ
５３      ガス調節機構
５４      制御モータ
５５      ガス供給管
５６      ガス調節機構
６１      分岐部
６２      合流部
７１      ＣＰＵ
５３１      ガス流路
５３２      ニードル弁
５６１      バイパス管
５６２      電磁弁
５６３      弱用バイパスニードル
【図１】
2020016415.tif 000003
【図２】
2020016415.tif 000004
【図３】
2020016415.tif 000005
【図４】
2020016415.tif 000006
【図５】
2020016415.tif 000007
【図６】
2020016415.tif 000008
【図７】
2020016415.tif 000009